(57)【要約】【課題】  印刷ジョブを発行したユーザーが予め設定したコンピュータ装置等において印刷ジョブ終了通知を受信できるようになした印刷ジョブ終了通知システムを提供する。【解決手段】  コンピュータ装置２０は、印刷ジョブ生成部２４を備え印刷ジョブに識別符号を付加して印刷システム４０に送信し、印刷システム４０は、予め登録したコンピュータ識別子および印刷ジョブ終了通知の通知先を記憶した記憶装置５６と、印刷ジョブ解釈部５４と、通知処理部３６と、印刷機構部３８とを備え、印刷ジョブ送信元のコンピュータ識別子を特定するとともに、印刷ジョブ識別符号を印刷ジョブ解釈部５４により抽出し、印刷ジョブ終了により通知処理部は終了した印刷ジョブの識別符号および／または送信元のコンピュータ識別子に基づいて、記憶装置５６に記憶された通知先を取得し、該通知先に印刷ジョブ終了通知を送信する。【選択図】      図１
2005107837.tif 000002
【特許請求の範囲】
【請求項１】
コンピュータ装置と印刷システムがネットワークに接続されたネットワークシステムにおける印刷ジョブ終了通知システムであって、
前記コンピュータ装置は、印刷ジョブ生成部を備え、該印刷ジョブ生成部において、印刷ジョブに印刷ジョブ識別符号を付加して前記印刷システムに印刷ジョブを送信し、
前記印刷システムは、予め登録したコンピュータ識別子および印刷ジョブ終了通知の通知先を記憶した記憶装置と、印刷ジョブ解釈部と、通知処理部と、印刷機構部とを備え、
前記印刷システムは、印刷ジョブ送信元のコンピュータ識別子を特定するとともに、前記印刷ジョブに付加された印刷ジョブ識別符号を前記印刷ジョブ解釈部により抽出し、該印刷ジョブ終了により、前記通知処理部は終了した印刷ジョブの識別符号および／または送信元のコンピュータ識別子に基づいて、前記記憶装置に記憶された印刷ジョブ終了通知の通知先を読出し、該通知先に印刷ジョブ終了通知を送信するようになしたことを特徴とする印刷ジョブ終了通知システム。
【請求項２】
前記記憶装置には、コンピュータ識別子と、該コンピュータ識別子とは異なる少なくとも１つの通知先情報をネットワーク管理システムを介して記憶したことを特徴とする請求項１に記載の印刷ジョブ終了通知システム。
【請求項３】
前記印刷システムは、プリンタサーバーと印刷装置より構成され、前記印刷ジョブに付加された印刷ジョブ識別符号を前記プリンタサーバーに設けた印刷ジョブ解釈部により抽出して該印刷ジョブの送信元コンピュータ識別子とともに一時記憶することを特徴とする請求項１または２に記載の印刷ジョブ終了通知システム。
【請求項４】
前記印刷装置は、終了した印刷ジョブの識別符号に基づいて前記プリンタサーバーにより一時記憶した送信元コンピュータ識別子から前記記憶装置に記憶された印刷ジョブ終了通知の通知先を読出し、通知処理部は、該通知先に印刷ジョブ終了通知を送信するようになしたことを特徴とする請求項３に記載の印刷ジョブ終了通知システム。
【請求項５】
前記記憶装置をプリンタサーバーと一体に設けたことを特徴とする請求項４に記載の印刷ジョブ終了通知システム。
【請求項６】
コンピュータ装置と印刷システムがネットワークに接続されたネットワークシステムにおける印刷ジョブ終了通知システムであって、
前記コンピュータ装置は、印刷ジョブ生成部を備え、該印刷ジョブ生成部において、印刷ジョブに印刷ジョブ識別符号を付加して前記印刷システムに印刷ジョブを送信し、
前記印刷システムは印刷装置と、予め登録したコンピュータ識別子および印刷ジョブ終了通知の通知先を記憶した記憶装置とから構成され、該印刷装置は印刷ジョブ解釈部と、通知処理部と、印刷機構部とを備え、
前記印刷装置は、印刷ジョブ送信元のコンピュータ識別子を特定するとともに、前記印刷ジョブに付加された印刷ジョブ識別符号を前記印刷ジョブ解釈部により抽出し、該印刷ジョブ終了により、前記通知処理部は終了した印刷ジョブの識別符号および／または送信元のコンピュータ識別子に基づいて、前記記憶装置に記憶された印刷ジョブ終了通知の通知先を読出し、該通知先に印刷ジョブ終了通知を送信するようになしたことを特徴とする印刷ジョブ終了通知システム。
【請求項７】
前記記憶装置を印刷装置と一体に設けたことを特徴とする請求項５に記載の印刷ジョブ終了通知システム。
【発明の詳細な説明】
【技術分野】
【０００１】
本発明は、印刷装置とクライアントＰＣなどのコンピュータ装置がネットワーク接続されたネットワークシステムにおける印刷ジョブの印刷終了通知システムに関し、特に、印刷ジョブを発行したユーザーが予め設定したコンピュータ装置等において印刷ジョブ終了通知を受信できるようになした印刷ジョブ終了通知システムに関するものである。
【背景技術】
【０００２】
近年のネットワーク技術の発展により、多数のクライアントＰＣなどのコンピュータ装置と印刷装置をネットワーク接続して各コンピュータ装置から印刷装置を共用して使用するネットワークシステムが広く使用されている。このようなネットワークシステムには、ネットワークに接続したプリンタサーバーにより印刷装置を管理する態様のシステムと、印刷装置を共有プリンタとしてネットワークに直接接続する態様のシステムとが知られている。
【０００３】
図９は上述のような一般的構成のネットワークシステムを示す図であり、（ａ）はプリンタサーバーを持つ構成、（ｂ）は印刷装置が直接ネットワークに接続された構成を示す。プリンタサーバーを持つシステムは（ａ）のように複数のコンピュータ装置１ａ〜１ｃと印刷装置２、３等がネットワーク５に接続されたものである。ネットワーク５にはプリンタサーバー４が接続され、各コンピュータ装置からの印刷ジョブを制御し、印刷装置２、３に印刷ジョブを転送し、また、印刷装置２、３からの該印刷装置の状態情報を受信して各コンピュータ装置１ａ〜１ｃに必要に応じて印刷装置の状態を通知するように構成されている。プリンタサーバー４を持たないシステムは（ｂ）のように各印刷装置２、３がプリンタサーバーを介することなく、直接ネットワーク５に接続され、各コンピュータ装置１ａ〜１ｃにインストールされたユーティリティープログラムなどによって、印刷装置２、３を共有するように構成されている。
【０００４】
何れの構成のシステムであっても、多くの場合、プリンタサーバーや印刷装置はコンピュータ装置から受け取った印刷ジョブの終了通知を当該コンピュータ装置に通知するようにされている。また、印刷装置に用紙ジャム、用紙切れなどの障害が発生すると印刷装置の状態情報を通知するようにされている。印刷ジョブの終了通知において、プリンタサーバーまたは印刷装置は、印刷データのスプールを終えた時点で印刷が終了したものとして
印刷ジョブを送信したコンピュータ装置のＩＰアドレスに基づいて、当該コンピュータ装置に印刷ジョブ終了通知を送信している。従って、実際の印刷終了とは時間的なズレが存在する。
【０００５】
そこで、例えば、下記の特許文献１には、印刷装置において実際に印刷が完了した時点でコンピュータ装置に印刷ジョブ終了通知を送信するようにした印刷システムが開示されている。すなわち、特許文献１に開示された印刷システムは、印刷装置に、印字データ判断・処理部と記憶部を設け、出力部において印字が完了したのを確認し、その結果に基づき完了通知を印字要求ユーザー（コンピュータ装置）に通知する。また、印字枚数を検出し、その検出枚数と完了通知を同時に印字要求ユーザーに通知する。さらに、印字装置の状態を記憶部に記憶し、ユーザーの要求に応じて、印字装置の正確な状態を常時応答できるようにしたものである。
【０００６】
また、印刷装置からの印刷ジョブ終了通知を、印刷ジョブを送信したコンピュータ装置でなく、該コンピュータ装置と無線ＬＡＮなどを通して接続される携帯端末装置で受信できるようにした印刷システムが下記の特許文献２に開示されている。すなわち、この印刷システムは、ホスト端末（コンピュータ装置）と、ホスト端末との間でデータの授受を行うプリンタ（印刷装置）と、ホスト端末との間で無線通信を行う携帯端末とを有する印刷システムである。
【０００７】
そして、プリンタは、プリンタの状態監視を行うプリンタ状態監視部と、プリンタ状態監視部にて取得されたプリンタの状態をホスト端末へ通知するプリンタ状態通知部と、用紙への印刷を行う印刷部とを有し、ホスト端末は、プリンタ状態通知部からプリンタの状態を取得するプリンタ状態取得部と、取得したプリンタの状態を表示装置に表示するプリンタ状態表示部と、プリンタが解釈可能な印刷データを文書データから作成すると共に印刷データをプリンタへ送信する印刷ジョブ処理部と、携帯端末を登録する携帯端末登録部と、プリンタ状態取得部にて得られたプリンタの状態が印刷完了の場合には携帯端末へ印刷完了の通知を行う印刷完了通知部とを有し、携帯端末は、印刷完了通知部から通知された印刷完了を取得する印刷完了取得部と、取得した印刷完了を表示装置に表示させるか又は音源出力装置で音声、ベル音、音楽等の通知音として出力させる印刷完了確認部とを有する。
【０００８】
このように印刷システムを構成することによって、所定の携帯端末へ印刷完了を通知することができ、コンピュータ装置（ホスト端末等）で実際の印刷出力の完了を何回も確認する作業を削減するようにしたものである。
【０００９】
【特許文献１】特開平１０−４００３６号公報（図２、図３）
【特許文献２】特開２００３−４４２５０号公報（図１）
【発明の開示】
【発明が解決しようとする課題】
【００１０】
上記特許文献１、特許文献２に開示された印刷システムにおける印刷ジョブ終了通知は、印刷ジョブを送信したコンピュータ装置あるいはコンピュータ装置に登録された携帯端末に送信されるものであり、ＴＣＰ／ＩＰ（Transmission Control Protocol／Internet Protocol）に従った通信により行われている。プリンタサーバーまたは印刷装置は、印刷ジョブを送信したコンピュータ装置のＩＰアドレスに基づいて、当該コンピュータ装置に印刷ジョブ終了通知を送信するものであった。すなわち、プリンタサーバー、印刷装置は、印刷ジョブの送受信プロトコルにおいて、実際に印刷ジョブを送信したコンピュータ装置をＩＰアドレスにより特定し、印刷ジョブ終了通知をそのコンピュータ装置に返信するものである。
【００１１】
しかしながら、コンピュータ装置のユーザーによっては、例えば、役職兼務などにより常席と兼務席というように異なる場所に複数の席を有しており、それぞれの席に設置したコンピュータ装置で執務する場合がある。このようなユーザーにおいては、一方のコンピュータ装置を使用して印刷（印刷装置に印刷ジョブを送信）を行ってコンピュータ装置の電源を切り、その後すぐに席を移動して他のコンピュータ装置で他の執務を行うようなケースが頻繁に発生する。上記特許文献１、２に開示された印刷システムにおいては印刷ジョブ終了通知等のステータス通知を印刷ジョブを送信したコンピュータ装置でしか受信できないことになり、前述のようなユーザーにとっては、不便であるという問題点が存在する。
【００１２】
本願の発明者は、前記の問題点を解消すべく種々検討を重ねた結果、ユーザーが使用するコンピュータ装置の識別子と対応させて印刷ジョブ終了通知等のステータス通知の通知先を記憶装置に予め登録しておき、プリンタサーバーまたは印刷装置は、印刷ジョブ終了等のステータスが発生すると、該記憶装置を参照して登録された通知先に印刷ジョブ終了通知等のステータス通知を送信することにより、ユーザーは、印刷ジョブを送信したコンピュータ装置でなく、登録した通知先のコンピュータ装置でステータス通知を受信できることに着目し、本発明を完成するに至ったものである。
【００１３】
すなわち、本発明は前記の問題点を解決することを課題とし、印刷ジョブを発行したユーザーが予め設定したコンピュータ装置等において印刷ジョブ終了通知等のステータス通知を受信できるようになしたステータス通知システムを提供することを目的とする。
【課題を解決するための手段】
【００１４】
前記課題を解決するために、本願の請求項１に係る発明は、コンピュータ装置と印刷システムがネットワークに接続されたネットワークシステムにおける印刷ジョブ終了通知システムであって、
前記コンピュータ装置は、印刷ジョブ生成部を備え、該印刷ジョブ生成部において、印刷ジョブに印刷ジョブ識別符号を付加して前記印刷システムに印刷ジョブを送信し、
前記印刷システムは、予め登録したコンピュータ識別子および印刷ジョブ終了通知の通知先を記憶した記憶装置と、印刷ジョブ解釈部と、通知処理部と、印刷機構部とを備え、
前記印刷システムは、印刷ジョブ送信元のコンピュータ識別子を特定するとともに、前記印刷ジョブに付加された印刷ジョブ識別符号を前記印刷ジョブ解釈部により抽出し、該印刷ジョブ終了により、前記通知処理部は終了した印刷ジョブの識別符号および／または送信元のコンピュータ識別子に基づいて、前記記憶装置に記憶された印刷ジョブ終了通知の通知先を読出し、該通知先に印刷ジョブ終了通知を送信するようになしたことを特徴とする。
【００１５】
また、本願の請求項２に係る発明は、請求項１の印刷ジョブ終了通知システムにおいて、前記記憶装置には、コンピュータ識別子と、該コンピュータ識別子とは異なる少なくとも１つの通知先情報をネットワーク管理システムを介して記憶したことを特徴とする。
【００１６】
また、本願の請求項３に係る発明は、請求項１または２の印刷ジョブ終了通知システムにおいて、前記印刷システムは、プリンタサーバーと印刷装置より構成され、前記印刷ジョブに付加された印刷ジョブ識別符号を前記プリンタサーバーに設けた印刷ジョブ解釈部により抽出して該印刷ジョブの送信元コンピュータ識別子とともに一時記憶することを特徴とする。
【００１７】
また、本願の請求項４に係る発明は、請求項３の印刷ジョブ終了通知システムにおいて、前記印刷装置は、終了した印刷ジョブの識別符号に基づいて前記プリンタサーバーにより一時記憶した送信元コンピュータ識別子から前記記憶装置に記憶された印刷ジョブ終了通知の通知先を読出し、通知処理部は、該通知先に印刷ジョブ終了通知を送信するようになしたことを特徴とする。
【００１８】
また、本願の請求項５に係る発明は、請求項４の印刷ジョブ終了通知システムにおいて、前記記憶装置をプリンタサーバーと一体に設けたことを特徴とする。
【００１９】
また、本願の請求項６に係る発明は、コンピュータ装置と印刷システムがネットワークに接続されたネットワークシステムにおける印刷ジョブ終了通知システムであって、
前記コンピュータ装置は、印刷ジョブ生成部を備え、該印刷ジョブ生成部において、印刷ジョブに印刷ジョブ識別符号を付加して前記印刷システムに印刷ジョブを送信し、
前記印刷システムは印刷装置と、予め登録したコンピュータ識別子および印刷ジョブ終了通知の通知先を記憶した記憶装置とから構成され、該印刷装置は印刷ジョブ解釈部と、通知処理部と、印刷機構部とを備え、
前記印刷装置は、印刷ジョブ送信元のコンピュータ識別子を特定するとともに、前記印刷ジョブに付加された印刷ジョブ識別符号を前記印刷ジョブ解釈部により抽出し、該印刷ジョブ終了により、前記通知処理部は終了した印刷ジョブの識別符号および／または送信元のコンピュータ識別子に基づいて、前記記憶装置に記憶された印刷ジョブ終了通知の通知先を読出し、該通知先に印刷ジョブ終了通知を送信するようになしたことを特徴とする。
【００２０】
また、本願の請求項７に係る発明は、請求項６の印刷ジョブ終了通知システムにおいて、前記記憶装置を印刷装置と一体に設けたことを特徴とする。
【発明の効果】
【００２１】
請求項１に係る発明において、印刷システム内の記憶装置には、ユーザーが予め登録したコンピュータ装置のＩＰアドレスなどのコンピュータ識別子と印刷ジョブ終了通知の通知先が記憶されており、コンピュータ装置は印刷ジョブに印刷ジョブ識別符号を付加して印刷システムに送信し、印刷システムは印刷ジョブ送信元のコンピュータ装置を示すコンピュータ識別子を特定し、印刷ジョブを終了すると、印刷ジョブ識別符号とコンピュータ識別子から、記憶装置に登録された印刷ジョブ終了通知の通知先を読出して終了通知を送信するようにしたものであるから、ユーザーが登録した通知先で印刷ジョブ終了通知を受信することができるようになる。
【００２２】
また、請求項２に係る発明においては、記憶装置には、コンピュータ識別子と、該コンピュータ識別子とは異なる１または複数の通知先（印刷ジョブ終了通知の通知先）が予め登録できるから、ユーザーは印刷ジョブを送信したコンピュータ装置とは異なるコンピュータ装置で印刷ジョブ終了通知を受信することができるようになる。
【００２３】
また、請求項３に係る発明においては、印刷システムがプリンタサーバーと印刷装置により構成されている場合、プリンタサーバーが印刷ジョブの識別符号と該印刷ジョブを送信した送信元のコンピュータ識別子を一時記憶するものであるから、印刷装置は印刷を終了した印刷ジョブの識別符号から、コンピュータ識別子を知り、記憶装置に記憶された通知先を知ることができるから、ユーザーが登録した通知先で印刷ジョブ終了通知を受信することができるようになる。
【００２４】
また、請求項４に係る発明においては、印刷システムがプリンタサーバーと印刷装置により構成されている場合、印刷装置はプリンタサーバーが一時記憶したコンピュータ識別子から記憶装置に記憶された通知先を得ることができるから、ユーザーが登録した通知先で印刷ジョブ終了通知を受信することができるようになる。
【００２５】
また、請求項５に係る発明においては、コンピュータ識別子と印刷ジョブ終了通知の通知先を登録する記憶装置がプリンタサーバーと一体に構成されるものであるから、プリンタサーバー内の記憶装置を使用することができ、登録のための特別の記憶装置を設ける必要がない。
【００２６】
また、請求項６に係る発明においては、印刷システムは印刷装置により構成され、印刷システム内の記憶装置には、ユーザーが予め登録したコンピュータ装置のＩＰアドレスなどのコンピュータ識別子と印刷ジョブ終了通知の通知先が記憶されており、コンピュータ装置は印刷ジョブに印刷ジョブ識別符号を付加して印刷システムに送信し、印刷システムは印刷ジョブ送信元のコンピュータ装置を示すコンピュータ識別子を特定し、印刷ジョブを終了すると、印刷ジョブ識別符号とコンピュータ識別子から、記憶装置に登録された印刷ジョブ終了通知の通知先を読出して終了通知を送信するようにしたものであるから、ユーザーが登録した通知先で印刷ジョブ終了通知を受信することができるようになる。
【００２７】
また、請求項７に係る発明においては、コンピュータ識別子と印刷ジョブ終了通知の通知先を登録する記憶装置が印刷装置と一体に構成されるものであるから、印刷装置内の記憶装置を使用することができ、登録のための特別の記憶装置を設ける必要がない。
【発明を実施するための最良の形態】
【００２８】
以下、本発明の具体例を実施例及び図面を用いて詳細に説明する。図１は本発明の実施例１に係る印刷ジョブ終了通知システムのブロック図である。図２は印刷ジョブの構成を示す模式図である。図３はコンピュータ識別子と印刷ジョブ終了通知の通知先を登録する記憶装置の構成を示す模式図である。図４は実施例１における印刷ジョブ送信と印刷ジョブ終了通知送信の情報経路を示す模式図である。図５は実施例１における印刷ジョブ終了通知の手順を示すシーケンス図である。図６は本発明の実施例２に係る印刷ジョブ終了通知システムのブロック図である。図７は実施例２における印刷ジョブ送信と印刷ジョブ終了通知送信の情報経路を示す模式図である。図８は実施例２における印刷ジョブ終了通知の手順を示すシーケンス図である。
【実施例１】
【００２９】
本発明の実施例１に係る印刷ジョブ終了通知システム１０は、図１に示すように、ＬＡＮ（Local Area Network）やインターネットなどのネットワーク１５に接続されたコンピュータ装置２０と印刷システム４０とから構成されている。印刷システム４０は印刷装置３０とプリンタサーバー５０により構成されており、コンピュータ装置２０にはネットワーク管理者により印刷のためのネットワーク環境が設定され、コンピュータ装置２０からの印刷ジョブはプリンタサーバー５０に送信され、プリンタサーバー５０から印刷装置３０に転送されるように構成されている。
【００３０】
コンピュータ装置２０は液晶表示ユニットなどにより構成される表示部２１とマウス、キーボードなどから構成される入力部２２と制御部２３とインタフェース部（ＩＦ）２５を備えている。これらの各要素は通常のコンピュータ装置を構成する一般的な要素である。また、コンピュータ装置２０は印刷ジョブ生成部２４を備えている。印刷ジョブ生成部２４は印刷システム４０に対して印刷データをＰＤＬ変換するとともに必要に応じてデバイス制御コマンドを付加し、また、ジョブを識別する識別符号（印刷ジョブＩＤ）およびジョブ送信先が付加される。図１の場合はジョブ送信先は設定されたプリンタサーバー５０のＩＰアドレスである。
【００３１】
印刷ジョブのフォーマットは図２に示すようなものであり、印刷システム４０の印刷装置３０に対するデバイス制御コマンドと、ＰＤＬ変換した印刷データと、印刷ジョブを識別する識別符号（印刷ジョブＩＤ）、印刷ジョブを送信するジョブ送信先とから構成される。デバイス制御コマンドは両面印刷、ページ丁合い、ホッチキス止めの指示など、印刷装置３０の動作を指定する制御コマンドである。
【００３２】
一方、印刷システム４０は、プリンタサーバー５０と印刷装置３０から構成され、プリンタサーバー５０の記憶装置５６には、各ユーザーのコンピュータ装置のＩＰアドレスなどのコンピュータ識別子と各ユーザーが予め登録した印刷ジョブ終了通知の通知先がテーブルとして記憶されている。図３はこの記憶装置５６に登録されたテーブルの構成を示す図であり、各ユーザーのコンピュータ識別子（ＩＰアドレス）と各ユーザーが印刷ジョブ終了通知を受信したいコンピュータ等の通知先のＩＰアドレスを通知先１、通知先２〜通知先ｎを対にして記憶したものである。各ユーザーが登録する通知先はネットワーク管理者のもと、一元管理されることが好ましく、また、通知先は１箇所に限らず複数の通知先を登録してもよい。
【００３３】
印刷装置３０が印刷を終了すると、この記憶装置５６を参照して通知先を得て、この通知先に印刷ジョブ終了通知を送信する。記憶装置５６は、プリンタサーバー内のファイル記憶装置の一部を利用すれば特別の記憶装置を設ける必要がない。もちろんこの記憶装置５６をプリンタサーバー外のハードディスクなどファイル記憶装置により構成してもよい。
【００３４】
プリンタサーバー５０は、インタフェース部５５（ＩＦ）と制御部５３と印刷ジョブ解釈部５４とＲＡＭ５７を備えており、コンピュータ装置２０からの印刷ジョブはインタフェース部５５を介して受信し、印刷ジョブ解釈部５４で解釈される。印刷ジョブ解釈部５４は印刷ジョブを解釈し、印刷データをデバイス制御コマンドとともに印刷装置３０に送信するとともに、印刷ジョブ識別符号（印刷ジョブＩＤ）と送信元のコンピュータ装置２０の識別子（ＩＰアドレス）をＲＡＭ５７に一時記憶する。
【００３５】
印刷装置３０は、インタフェース部３５と制御部３３と印刷機構部３８および状態監視部３７、通知処理部３６を備えている。プリンタサーバー５０から送信されたデバイス制御コマンド、印刷データはインタフェース部３５を介して受信され、印刷機構部３８で印刷される。状態監視部３７は印刷機構部３８等の状態を監視するものであり、印刷機構部３８で印刷処理が完了したことを検出すると、通知処理部３６に印刷処理終了を伝える。
【００３６】
通知処理部３６は印刷ジョブＩＤに基づいてプリンタサーバー５０のＲＡＭ５７を参照し、コンピュータ識別子を得て、記憶装置５６からコンピュータ識別子に対応する通知先を得て、印刷ジョブ終了通知を該通知先に送信する。
【００３７】
図４は、印刷ジョブ送信と印刷ジョブ終了通知送信の情報経路を示す模式図であり、図５はその手順を示すシーケンス図である。図４に示すようにコンピュータ装置２０は印刷ジョブ生成部２４により図２に示す印刷ジョブを生成し、ネットワーク１５を介してプリンタサーバー５０に送信する（図５ステップＳ１）。プリンタサーバー５０は印刷ジョブを受信すると印刷ジョブ解釈部５４でこれを解釈し、ＲＡＭ５７に印刷ジョブＩＤと送信元のコンピュータ装置２０のコンピュータ識別子を一時記憶し、印刷装置３０に印刷ジョブを転送する（図５ステップＳ２）。
【００３８】
印刷装置３０は、印刷処理が終了する（図５ステップＳ３）と、通知処理部３６は印刷ジョブＩＤをもとにＲＡＭ５７からコンピュータ識別子を取得し（図５ステップＳ４）、記憶装置５６に登録されているコンピュータ識別子に対応した通知先を得て（図５ステップＳ５）該通知先に印刷ジョブ終了通知をネットワーク１５を経由して送信する（図５ステップＳ６）。通知先のコンピュータ装置等はステップＳ７において、印刷装置３０からの印刷ジョブ終了通知を受信する。
【実施例２】
【００３９】
図６は、本発明に係る印刷ジョブ終了通知システムの実施例２の構成を示すブロック図である。実施例２の構成は、実施例１の構成と比較すると、印刷システム４０がプリンタサーバー５０を備えておらず印刷装置３０で構成され、印刷装置３０が直接ネットワーク１５に接続され、コンピュータ装置２０等により共有される構成になっている点が異なる。この構成は、ピア−トゥ−ピア（Peer to Peer）と称されるものであり、ネットワーク１５に接続されるコンピュータ装置２０等には、プリンタドライバ、ユーティリティープログラムがネットワーク管理者の管理下でインストールされ、印刷環境が設定されるものである。
【００４０】
印刷システム４０は、印刷装置３０と記憶装置５６とから構成されている。この記憶装置５６は実施例１と同様のものであり、各ユーザーのコンピュータ装置のＩＰアドレスなどのコンピュータ識別子と各ユーザーが予め登録した印刷ジョブ終了通知の通知先がテーブルとして記憶されている。このテーブルは、各ユーザーのコンピュータ識別子（ＩＰアドレス）と各ユーザーが印刷ジョブ終了通知を受信したいコンピュータ等の通知先のＩＰアドレスを通知先１、通知先２〜通知先ｎを対にして記憶したものである（図３参照）。
【００４１】
印刷装置３０が印刷を終了すると、この記憶装置５６を参照して通知先を得て、この通知先に印刷ジョブ終了通知を送信する。記憶装置５６は、印刷装置３０内のファイル記憶装置の一部を利用すれば特別の記憶装置を設ける必要がない。もちろんこの記憶装置５６を図６のように印刷装置３０外のハードディスクなどファイル記憶装置により構成してもよい。
【００４２】
印刷装置３０は、インタフェース部３５（ＩＦ）と制御部３３と印刷ジョブ解釈部３４とを備えており、コンピュータ装置２０からの印刷ジョブはインタフェース部３５を介して受信し、印刷ジョブ解釈部３４で解釈される。印刷ジョブ解釈部３４は印刷ジョブを解釈し、印刷機構部３８により印刷を実行する。また、印刷ジョブ解釈部３４は印刷ジョブの送受信セッションの情報から送信元コンピュータ装置の識別子（ＩＰアドレス）を得る。このコンピュータ識別子は印刷ジョブＩＤとともに必要に応じて図示せざるＲＡＭ等の記憶部に一時記憶してもよい。
【００４３】
状態監視部３７は、印刷機構部３８の状態を監視しており、印刷機構部３８で印刷が完了（印刷ジョブが終了）するとこれを検出し、通知処理部３６に伝える。通知処理部３６は、印刷ジョブ解釈部３４が得たコンピュータ識別子に基づいて、記憶装置５６からコンピュータ識別子に対応する通知先を得て、印刷ジョブ終了通知を該通知先に送信する。この時、ＲＡＭ等の一時記憶装置に印刷ジョブＩＤと送信元コンピュータ装置のコンピュータ識別子が一時記憶する構成の場合は、ＲＡＭから印刷ジョブＩＤに基づいてコンピュータ識別子を知る手順を採ってもよい。
【００４４】
図７は、印刷ジョブ送信と印刷ジョブ終了通知送信の情報経路を示す模式図であり、図８はその手順を示すシーケンス図である。図７に示すようにコンピュータ装置２０は印刷ジョブ生成部２４により図２に示す印刷ジョブを生成し、ネットワーク１５を介して印刷装置３０に送信する（図８ステップＳ１１）。印刷装置３０は印刷ジョブを受信すると印刷ジョブ解釈部３４でこれを解釈し、また、印刷ジョブ送受信セッションの情報から送信元コンピュータ装置２０のコンピュータ識別子（ＩＰアドレス）を得る（必要に応じてこのコンピュータ識別子は印刷ジョブＩＤとともに図示せざるＲＡＭに一時記憶する）。
【００４５】
印刷装置３０は、印刷処理が終了する（図８ステップＳ１２）と、通知処理部３６は印刷ジョブ解釈部が得た送信元コンピュータ装置２０のコンピュータ識別子に基づいて記憶装置５６から対応する通知先を得て（図８ステップＳ１３）該通知先に印刷ジョブ終了通知をネットワーク１５を経由して送信する（図８ステップＳ１４）。通知先のコンピュータ装置等はステップＳ１５において、印刷装置３０からの印刷ジョブ終了通知を受信する。
【図面の簡単な説明】
【００４６】
【図１】図１は、本発明の実施例１に係る印刷ジョブ終了通知システムのブロック図である。
【図２】図２は、印刷ジョブの構成を示す模式図である。
【図３】図３は、コンピュータ識別子と印刷ジョブ終了通知の通知先を登録する記憶装置の構成を示す模式図である。
【図４】図４は、実施例１における印刷ジョブ送信と印刷ジョブ終了通知送信の情報経路を示す模式図である。
【図５】図５は、実施例１における印刷ジョブ終了通知の手順を示すシーケンス図である。
【図６】図６は、本発明の実施例２に係る印刷ジョブ終了通知システムのブロック図である。
【図７】図７は、実施例２における印刷ジョブ送信と印刷ジョブ終了通知送信の情報経路を示す模式図である。
【図８】図８は、実施例２における印刷ジョブ終了通知の手順を示すシーケンス図である。
【図９】図９は、従来の一般的なネットワークシステムの構成を示す図であり、（ａ）はプリンタサーバーを持つ構成、（ｂ）はプリンタサーバーを持たない構成を示す図である。
【符号の説明】
【００４７】
１０・・・印刷ジョブ終了通知システム
１５・・・ネットワーク
２０・・・コンピュータ装置
２１・・・表示部
２２・・・入力部
２３・・・制御部
２４・・・印刷ジョブ生成部
２５・・・インタフェース部
３０・・・印刷装置
３３・・・制御部
３４・・・印刷ジョブ解釈部
３５・・・インタフェース部
３６・・・通知処理部
３７・・・状態監視部
３８・・・印刷機構部
４０・・・印刷システム
５０・・・プリンタサーバー
５３・・・制御部
５４・・・印刷ジョブ解釈部
５５・・・インタフェース部
５６・・・記憶装置
５７・・・ＲＡＭ
【図１】
2005107837.tif 000003
【図２】
2005107837.tif 000004
【図３】
2005107837.tif 000005
【図４】
2005107837.tif 000006
【図５】
2005107837.tif 000007
【図６】
2005107837.tif 000008
【図７】
2005107837.tif 000009
【図８】
2005107837.tif 000010
【図９】
2005107837.tif 000011